(57)【要約】【課題】  水叩きが崩れにくく、堰堤の側方に魚道を設ける必要のない河川構造を提供する。【解決手段】  堰堤の下流側に傾斜部があり、傾斜部の下流側に水叩きがあり、傾斜部の上面を堰堤側が高く水叩き側が低い下り斜面とした。傾斜部は多数の石を下流側から上流側に上り傾斜になるように段差を設けて階段状に積み上げたものであってもよい。石が段積みされた傾斜部の上部を魚道とした。魚道は魚が遡上できる勾配にする。水叩きは河床に敷いた栗石の上に井桁を設置し、井桁の上に巨石を載せたものでもよく、二以上の巨石の下部をコンクリートで固定したものであってもよい。【選択図】    図１
2018199898.tif 000002
【特許請求の範囲】
【請求項１】
堰堤と水叩きを備えた河川構造において、
堰堤の下流側に傾斜部があり、傾斜部の下流側に水叩きがあり、
堰堤は河川の横幅方向に細長であり、
傾斜部の上面は堰堤側が高く水叩き側が低い下り斜面であり、
傾斜部の上面に多数の石が上下に段差を設けて段積みされている、
ことを特徴とする河川構造。
【請求項２】
堰堤と水叩きを備えた河川構造において、
堰堤の下流側に傾斜部があり、傾斜部の下流側に水叩きがあり、
堰堤は河川の横幅方向に細長であり、
堰堤は川の上流側と下流側に間隔をあけて石を積層し、上流側の石と、下流側の石が対向配置されて積み上げられ、両側の石を内側下方に向けて斜めに積み上げ、両石の間に栗石を中込めしたものであり、
傾斜部の上面は堰堤側が高く水叩き側が低い下り斜面であり、
傾斜部の上面に多数の石が上下に段差を設けて段積みされている、
ことを特徴とする河川構造。
【請求項３】
請求項１又は請求項２記載の河川構造において、
石が段積みされた傾斜部の上部が魚道であり、魚道は魚が遡上できる勾配である、
ことを特徴とする河川構造。
【請求項４】
請求項１から請求項３のいずれか１項に記載の河川構造において、
傾斜部の下段又はその下段及び水叩きの上流側に力石があり、その力石の上流側に石が段積みされている、
ことを特徴とする河川構造。
【請求項５】
請求項１から請求項４のいずれか１項に記載の河川構造において、
水叩きが、河床又は河床の上の栗石の上に井桁を設置し、井桁の上に石を載せたものである、
ことを特徴とする河川構造。
【請求項６】
請求項１から請求項４のいずれか１項に記載の河川構造において、
水叩きが、河床又は河床の上の栗石の上に設置した石の下部をコンクリートで固めたものである、
ことを特徴とする河川構造。
【発明の詳細な説明】
【技術分野】
【０００１】
本発明は河川構造、特に、堰堤（堤防）、魚道、水叩き等の構造に関する。
【背景技術】
【０００２】
河川の川上側には、上流からの土石流を抑止或いは抑制するための堰堤Ａが設けられている（図６）。通常、堰堤Ａの下流側には水叩きＢがあり（図６）、堰堤Ａの川幅方向一側方又は両側方には魚遡上用の魚道Ｃがある（図６）。これら堰堤Ａ、水叩きＢ、魚道Ｃ等に関する特許文献も各種ある。主なものとして特許文献１〜１０がある。これらのうち特許文献１は堰堤構造に関するものであり、特許文献２〜４は河床の井桁構造に関するものであり、特許文献５〜１０は魚道構造に関するものである。特許文献３は杉や松の丸太あるいは角材を井桁状に組み上げ、その井桁の中に現地で採取した玉石や栗石を詰めた木工沈床に関するものであり、通常、河床保護のために施工されている。特許文献５〜１０の魚道構造は堰堤を設けることにより魚の遡上が阻止されないようにするものであり、バイオマス等の環境保護の面で重要なことである。
【先行技術文献】
【特許文献】
【０００３】
【特許文献１】特許第３６１１５４０号公報
【特許文献２】特許第４７９４５３７号公報
【特許文献３】特許第２９５１３３０号公報
【特許文献４】特許第３３３５１６８号公報
【特許文献５】特許第３４４８６５９号公報
【特許文献６】特許第５８３７３４２号公報
【特許文献７】特許第３４７５９４５号公報
【特許文献８】特許第４０８７５３６号公報
【特許文献９】特許第４４５７３８４号公報
【特許文献１０】実開平６−０８５４２２号公報
【発明の概要】
【発明が解決しようとする課題】
【０００４】
通常、水叩きＢは堰堤Ａの下流側の河床に石（巨石）を敷設して形成してあるが、特許文献１の堰堤構造では、堰堤Ａの上面（天端）Ｄを乗り越えて落下する水流で水叩きＢの石が流されてしまい、河床が露呈し、露呈部分が天端Ｄを乗り越えて落下する水流で抉られてしまい、水叩きＢ本来の機能が損なわれるという難点があった。
【０００５】
特許文献１は堰堤構造、特許文献２〜４は井桁構造、特許文献５〜１０は魚道構造に関するものであるため、それらを個別に施工することはできても、それらを総合的に勘案した河川構造を実現することは難しい。
【０００６】
本発明の課題は、水叩きが崩れにくく、堰堤の側方に魚道を設ける必要のない河川構造を提供する。
【課題を解決するための手段】
【０００７】
本発明の河川構造は、堰堤の下流側に傾斜部を、その下流側に水叩きを備えたものである。傾斜部は、上面が堰堤側から水叩き側に下り傾斜であり、その上面に、石が積み上げられている。石は水叩き側から堰堤側に段差を設けて上り傾斜に積み上げられている（段積みされている）。段積みされた石の高低差（段差）及び石叩き側から堰堤側への上り勾配は魚が遡上できる勾配とし、その石が段積みされた傾斜部の上部を魚道とした。水叩きは河床に敷いた栗石の上に井桁を設置し、井桁の上に巨石を載せて当該巨石の上部が水面の上に突出するようにしたものでもよく、河床或いは河床の上の栗石の上に設置した二以上の石の下部をコンクリートで固定し、当該石の上部が水面の上に突出するようにしたものでもよい。井桁はカラ松、松、アカシアなどの耐水性に優れた木材を縦横に組んで連結して多数の升目が形成された格子状の井桁が適する。堰堤及び水叩きは川幅方向に長い。魚道は傾斜部の上面であって川幅方向の全域或いは一部にある。
【発明の効果】
【０００８】
本発明は次の効果がある。
（１）堰堤とそれより下流側の水叩きの間に、上面が堰堤側から水叩き側に向けて次第に下り傾斜である傾斜部があるので、堰堤の天端を乗り越えて水叩きに流れ落ちる水勢が傾斜部で緩和されて水叩きの上に落下し、水叩きの石が位置ずれしにくくなり、河床が抉られにくくなる。
（２）石が段積みされた傾斜部の上部が魚道であるため、堰堤の横に魚道を設ける必要がない。
（３）水叩きの石を、栗石の上に敷設した井桁の上に載せれば、井桁の上の石が安定し、水叩きが崩れにくくなる。
（４）水叩きの石の下部をコンクリートで固定すれば、水叩きの石が安定し、崩れにくくなる。
【図面の簡単な説明】
【０００９】
【図１】本発明の河川構造の一例であって、水叩きの石の下部をコンクリートで固めた場合の縦断側面図。
【図２】本発明の河川構造の一例であって、水叩きの石を井桁の上に載せた場合の縦断側面図。
【図３】本発明の河川構造の一例であって、堰堤が石を積んで形成された場合の縦断側面図。
【図４】井桁の一例を示す平面図。
【図５】井桁の上に石を載せた場合の水叩きの平面図。
【図６】従来の河川構造の一例を示す説明図。
【発明を実施するための形態】
【００１０】
（河川構造の実施形態）
本発明の河川構造を図面に基づいて説明する。一例として図１〜図３に示すものは、堰堤１と、その下流側の傾斜部２と、傾斜部２の下流側の水叩き３を備えている。堰堤１と傾斜部２は連続している。傾斜部２は栗石やその他の石材を盛り上げて形成されている。傾斜部２の上面４は上流側から下流側に下り傾斜であり、その上面４に石５を下流側の石を低く、上流側の石を高くして（段差を設けて）積んである（段積みしてある）。石５の段差及び水叩き３側から堰堤１側への上り勾配を魚は遡上できる勾配であり、石が段積みされた傾斜部２の上部を魚道６としてある。
【００１１】
［堰堤１］
図１、図２の堰堤１は既存の堰堤と同様の機能、目的のものであり、川幅方向に細長に設けられている。河川を横断する場合もあり横断しない場合もある。図１、図２の堰堤１はコンクリート製である。その形状は側面視、縦長であるが、他の形状、例えば、下流側が裾広がりであってもよい。
【００１２】
［堰堤２］
図３の堰堤１は石７を積み上げて形成したものであり、特許文献１に記載の堰堤である。川の上流側と下流側に間隔をあけて石７を積層し、上流側の石７ａと、下流側の石７ｂが対向配置されて積み上げられ、両側の石７ａ、７ｂを内側下方に向けて斜めに積み上げ、両石７ａ、７ｂの間に栗石８を中込めしてある。
【００１３】
［傾斜部］
図１〜図３の傾斜部２は堰堤１と水叩き３の間に設けられている。傾斜部２は堰堤１の横幅方向全域（略全域を含む）或いは一部に設けてある。傾斜部２の上面４は堰堤１側から水叩き３側に向けて下り傾斜である。傾斜部２は栗石、その他の石材２ａ（以下「栗石等」という）を積み上げて形成されている。傾斜部２の下り傾斜の上面４には、下流側（水叩き側）から上端側（堰堤側）に多数の石５を段差を設けて段積みしてある。この場合、傾斜部２の最下段には力石（支持石）９を縦長に設置し、力石９の下部９ａを栗石等２ａに埋設固定し、力石９の上部９ｂを傾斜部２の上面４の上に突出させてある。力石９よりも上流側に段積み用の石５を積み上げてある。石５は傾斜部２の上面４の傾斜に沿って下方から上方に高くなる段差で階段状に積み上げて（段積みして）ある。石５が段積みされた傾斜部２の上部（石５の横（間）及び上）を魚道６としてある。魚道６は魚が遡上できる勾配にしてある。傾斜部２の上端部２ｂは、堰堤１の天端部１ａと同じ（ほぼ同じ）又はそれより多少低くして、堰堤１を乗り越えた水が流下し易くなるようにしてある。図２では力石９を下流側から上流側に二段設けてあるが、三段以上であってもよい。
【００１４】
段積みした石５はその下部５ａを傾斜部２の上面４に埋設し、石５の上部５ｂを傾斜部２の上面４より上方に突出させてある。石５には各種形状、サイズの天然石を使用可能ある。施工する河川（現場付近）から採取した石を使用すると工事現場への搬入の手間がかからず、工事の迅速化も可能となる。石５として、一例として、縦長寸法１．５ｍの石を使用した場合、傾斜部２の上面４から上方への突出寸法は５０〜７０ｃｍ程度が適する。上段の石５と下段の石５の突出差（段差）は魚が遡上できる程度の段差、勾配にしてある。段差は例えば３０ｃｍ〜７０ｃｍとすることができる。魚道６は傾斜部２の上面４の横幅方向全域或いは一部の領域に設けることができる。
【００１５】
［水叩き］
水叩き３は既存の水叩きと同様の機能、目的のものであり、傾斜部２の下流側に傾斜部２の下端よりも一段低く設けられている。水叩き３の構造は各種あるが、図２に示すものは河床１０に敷いた栗石、その他の石材３ａ（以下「栗石等」という）の上に井桁１１を設置し、井桁１１の上に石（水叩き用の巨石）１２を載せて固定してある。使用可能な石１２のサイズ、重さ等は特に限定されないが、少なくとも、井桁１１を安定させることのできる程度のサイズ、重さの巨石が適する。通常、巨石は縦横寸法８０ｃｍ以上、重さ数ｔのものである。河川の水位が通常の場合、水叩き３用の石（巨石）１２の上部１２ｂは水面の上に突出するようにしてある。
【００１６】
井桁１１はカラ松、松、アカシアなどの耐水性に優れた木材１３を、図４、図５に示すように縦横に連結して多数の升目１４が形成された格子状の井桁が適する。各升目１４の縦横サイズ（升目サイズ）は任意に設計できるが、例えば、その上を重機が走行できる程度のサイズ、例えば２ｍ角程度とすることができる。井桁１１は河床１０の上に積み上げた栗石等３ａの上に埋め込み、その上から水叩き用の石１２を載せることもできる。木材１３の連結はボルト締めが適する。
【００１７】
図１、図３に示す水叩き３は、水叩き用の石１２の下部１２ａをコンクリート１５で固定して河床１０に固定し、その石１２の上部１２ｂが水面の上に突出しているものである。ここで使用可能な水叩き用の石１２のサイズ、重さ等も特に限定されないが、少なくとも、傾斜部２から流れ落ちてくる水の勢いで押し流されたり、移動したりしない程度のサイズ、重さのものが適する。図１、図３では、傾斜部２の力石９のすぐ下にも力石（支持石）９を設けてある。水叩き３は河床１０の上に栗石等３ａを敷き、その上に石１２を設置し、その石１２の下部をコンクリートで固定することもできる。
【００１８】
傾斜部２から水叩き３に流れ落ちた水は図１〜図３の矢印Ａのように、水叩き３の下流に流れ落ちるものと、矢印Ｂのように水叩き３の下に流れ込むものがある。矢印Ｂの流れは津波の引き波と同様の現象で流れ込むものもある。水叩き３はその下に流れ込んだ水（矢印Ｂ）の水勢で傾斜部２（上流側）に引き寄せられて、傾斜部２から下流側に離れにくくなる。むしろ、傾斜部２に引き寄せられる。
【符号の説明】
【００１９】
１      堰堤
１ａ    （堰堤の）天端部
２      傾斜部
２ａ    （傾斜部の）栗石、その他の石材（栗石等）
２ｂ    （傾斜部の）上端部
３      水叩き
３ａ    （水叩きの）栗石、その他の石材（栗石等）
４      （傾斜部の）上面
５      （傾斜部の）石
５ａ    石の下部
５ｂ    石の上部
６      魚道
７      （堰堤の）石
７ａ    上流側の石
７ｂ    下流側の石
８      （堰堤の）栗石
９      力石
９ａ    力石の下部
９ｂ    力石の上部
１０    河床
１１    井桁
１２    （水叩き用の）石
１２ａ  （水叩き用の）石の下部
１２ｂ  （水叩き用の）石の上部
１３    木材
１４    （井桁の）升目
１５    コンクリート
Ａ    堰堤
Ｂ    水叩き
Ｃ    魚道
Ｄ    堰堤の上面（天端）
【図１】
2018199898.tif 000003
【図２】
2018199898.tif 000004
【図３】
2018199898.tif 000005
【図４】
2018199898.tif 000006
【図５】
2018199898.tif 000007
【図６】
2018199898.tif 000008